(57)【要約】【課題】  マルチカード対応携帯電話の提供。【解決手段】  複数のキーとディスプレイを具えた機体を具え、該機体にＳＩＭ  ＣＡＲＤスロットが設けられ、機体内に必要な電源供給装置、電子回路及び信号処理ユニットが設けられたマルチカード対応携帯電話において、機体に複数のＳＩＭ  ＣＡＲＤスロットが設けられ、信号処理ユニットが送受信号を分類し、スロットに挿入された異なる通信会社のＳＩＭ  ＣＡＲＤを通して、自動的に異なる通信ネットワークの情報を送受信し、並びにディスプレイに表示する。【選択図】        図１
0003108814.tif 000002
【実用新案登録請求の範囲】
【請求項１】
複数のキーとディスプレイを具えた機体を具え、該機体にＳＩＭ  ＣＡＲＤスロットが設けられ、機体内に必要な電源供給装置、電子回路及び信号処理ユニットが設けられたマルチカード対応携帯電話において、
該機体に複数のＳＩＭ  ＣＡＲＤスロットが設けられ、信号処理ユニットが送受信号を分類し、スロットに挿入された複数の通信会社のＳＩＭ  ＣＡＲＤのうち特定のＳＩＭ
ＣＡＲＤを通して特定の通信会社の通信ネットワークの情報に変換し、並びにディスプレイに表示することを特徴とする、マルチカード対応携帯電話。
【請求項２】
請求項１記載のマルチカード対応携帯電話において、複数のＳＩＭ  ＣＡＲＤ中の特定のＳＩＭ  ＣＡＲＤの信号が機体に設けられた一組の通話識別ランプにより表示されることを特徴とする、マルチカード対応携帯電話。
【考案の詳細な説明】
【技術分野】
【０００１】
本考案は一種のマルチカード対応携帯電話に係り、特に、複数のＳＩＭ  ＣＡＲＤを同時に挿入でき、複数の通信会社の信号の受信と表示を行える携帯電話に関する。
【背景技術】
【０００２】
携帯電話は現在不可欠のモバイル通信装置となっており、ほぼ誰もが持っている段階になっている。携帯電話の機能もまたますます進歩し、伝統的な単純なダイアルによる通話のほか、デジタルカメラ、電子メール、ゲーム及び他種類の機能を有している。その簡便性と通信の広範な機能により、現在のグローバル化された世界で、ある国から別の国に携帯電話を携行する機会は非常に多くなっている。現在の携帯電話の設計によると、各携帯電話にＳＩＭ  ＣＡＲＤが配備され、該ＳＩＭ  ＣＡＲＤはある国家のある通信会社の通信サービスに帰属し、使用者がある通信会社のサービスを使用したい時には、その通信会社のＳＩＭ  ＣＡＲＤに交換すれば、同一国家中の通信会社は相互間でネットワーク協定を結んでいるため、同一携帯電話のＳＩＭ  ＣＡＲＤを異なる通信会社を跨いで使用できる。或いは携帯電話自体に設計されたマルチ周波数機能により使用エリアにあって信号を良好に受信できる通信ネットワークを使用できる。ただし、どちらであっても、一つの携帯電話には一枚のＳＩＭ  ＣＡＲＤしか取付られず、則ち、わずかに一つのナンバーしか具備せず、このため、一般には例えば一台を家庭用、一台を会社用として、二台以上の携帯電話を携帯している。しかし、外出時に複数の携帯電話を携行するのは相当に面倒であり、特に出国時には更に不便である。なぜなら、多くの本国通信会社と他国通信会社は通信ネットワーク上、相容れず、自身が常用している携帯電話のほかに、レンタル方式で他国通信会社のＳＩＭ  ＣＡＲＤを挿入した携帯電話を携帯しなければ、他国での使用はできないか、或いは他国でプリペイドカードを購入する必要がある。ただし、プリペイドカードを購入する方式は他国での使用はできても一旦他国の通信会社のプリペイドカードを挿入してしまうと、本国からかけられた電話を受け取ることができなくなる。このため、最もよい方法は、随時二台以上の携帯電話を携帯することとなり、常時他国に出張するビジネスマンやツアーコンダクター等にとっては、随時複数の携帯電話を携帯するとは非常に煩わしいものである。
【考案の開示】
【考案が解決しようとする課題】
【０００３】
本考案は一種のマルチカード対応携帯電話、特に、複数のＳＩＭ  ＣＡＲＤを同時に挿入でき、複数の通信会社の信号の受信と表示を行える携帯電話を提供することを目的としている。
【課題を解決するための手段】
【０００４】
請求項１の考案は、複数のキーとディスプレイを具えた機体を具え、該機体にＳＩＭ
ＣＡＲＤスロットが設けられ、機体内に必要な電源供給装置、電子回路及び信号処理ユニットが設けられたマルチカード対応携帯電話において、
該機体に複数のＳＩＭ  ＣＡＲＤスロットが設けられ、信号処理ユニットが送受信号を分類し、スロットに挿入された複数の通信会社のＳＩＭ  ＣＡＲＤのうち特定のＳＩＭ
ＣＡＲＤを通して特定の通信会社の通信ネットワークの情報に変換し、並びにディスプレイに表示することを特徴とする、マルチカード対応携帯電話としている。
請求項２の考案は、請求項１記載のマルチカード対応携帯電話において、複数のＳＩＭ  ＣＡＲＤ中の特定のＳＩＭ  ＣＡＲＤの信号が機体に設けられた一組の通話識別ランプにより表示されることを特徴とする、マルチカード対応携帯電話としている。
【考案の効果】
【０００５】
本考案は一つの携帯電話に異なる国家、異なる会社、異なる番号の複数のＳＩＭ  ＣＡＲＤ４を同時に取り付けて、マルチカード対応の送受信が行え、経常的に外国に出かけるビジネスマン、或いは複数の電話番号を必要とする人が、一つの携帯電話を携行するだけでよく、便利であり、また不必要な携帯電話費用の支出を節約でき、経済的で実用的な設計であり、それは携帯電話関係技術においてこれまでにない新規な考案である。
【考案を実施するための最良の形態】
【０００６】
図１は本考案の実施例のマルチカード対応携帯電話を示し、それは機体１を具え、該機体１は、複数のキー２とディスプレイ３を具えている。機体１には複数のＳＩＭ  ＣＡＲＤスロット５と通話識別ランプ６が設けられている。
【０００７】
機体１内には必要な電源供給装置、電子回路及び信号処理ユニット（図示せず）が設けられ、機体１中の電池類の電源供給装置は必要な電線で電子回路に接続されて電源を供給し、信号処理ユニットは自身に搭載したソフトウエアにより携帯電話の各種機能を提供しすると共に、受信、伝送される信号を分類し、ＳＩＭ  ＣＡＲＤスロット５に挿入されたＳＩＭ  ＣＡＲＤ４により特定通信会社ネットワークの情報に変換し、並びにディスプレイ３に表示するか或いは通話識別ランプ６で表示する。
【０００８】
本考案の実施例は複数のＳＩＭ  ＣＡＲＤを挿入でき、例えば図１の実施例では三枚のＳＩＭ  ＣＡＲＤ４を挿入でき、そのうち一枚のＳＩＭ  ＣＡＲＤ４が代表するある通信会社の電話がかかってきた時、かかってきた電話の信号を信号処理ユニットで処理及び識別分類した後、ディスプレイ３に表示するか、或いは同時に通話識別ランプ６に表示し、使用者にかかってきた電話がどの電話番号であるかを知らせる。
【０００９】
同様に、三枚のＳＩＭ  ＣＡＲＤ４中のある特定電話番号でダイアルしたい時（例えば会社のビジネス帳簿より支出する電話番号）、キー２で入力してディスプレイ３に電話番号を表示し、ダイアル後に信号処理ユニットで処理及び識別分類した後、信号を特定のＳＩＭ  ＣＡＲＤ４により伝送できる。
【００１０】
以上の実施例は本考案の請求範囲を限定するものではなく、以上の実施例に基づきなしうる細部の修飾或いは改変は、いずれも本考案の請求範囲に属するものとする。
【図面の簡単な説明】
【００１１】
【図１】本考案の実施例の構造表示図である。
【符号の説明】
【００１２】
１  機体      ２  キー      ３  ディスプレイ
４  ＳＩＭ  ＣＡＲＤ        ５  ＳＩＭ  ＣＡＲＤスロット
６  通話識別ランプ
【図１】
0003108814.tif 000003
【手続補正書】
【提出日】平成17年1月13日(2005.1.13)
【手続補正１】
【補正対象書類名】実用新案登録請求の範囲
【補正対象項目名】全文
【補正方法】変更
【補正の内容】
【実用新案登録請求の範囲】
【請求項１】
複数のキーとディスプレイを具えた機体を具え、該機体にＳＩＭ  ＣＡＲＤスロットが設けられ、機体内に必要な電源供給装置、電子回路及び信号処理ユニットが設けられたマルチカード対応携帯電話において、
該機体に複数の通信会社のＳＩＭ  ＣＡＲＤの挿入に供される複数のＳＩＭ  ＣＡＲＤスロットが設けられ、この構造により、信号処理ユニットが送受信号を分類してスロットに挿入された複数のＳＩＭ  ＣＡＲＤのうち特定のＳＩＭ  ＣＡＲＤにより特定の通信会社の通信ネットワークの情報に変換し、並びにディスプレイに表示することを特徴とする、マルチカード対応携帯電話。
【請求項２】
請求項１記載のマルチカード対応携帯電話において、機体に一組の通話識別ランプが設けられ、この構造により、複数のＳＩＭ  ＣＡＲＤ中の特定のＳＩＭ  ＣＡＲＤの信号が表示されることを特徴とする、マルチカード対応携帯電話。
【手続補正２】
【補正対象書類名】明細書
【補正対象項目名】０００４
【補正方法】変更
【補正の内容】
【０００４】
請求項１の考案は、複数のキーとディスプレイを具えた機体を具え、該機体にＳＩＭ
ＣＡＲＤスロットが設けられ、機体内に必要な電源供給装置、電子回路及び信号処理ユニットが設けられたマルチカード対応携帯電話において、
該機体に複数の通信会社のＳＩＭ  ＣＡＲＤの挿入に供される複数のＳＩＭ  ＣＡＲＤスロットが設けられ、この構造により、信号処理ユニットが送受信号を分類してスロットに挿入された複数のＳＩＭ  ＣＡＲＤのうち特定のＳＩＭ  ＣＡＲＤにより特定の通信会社の通信ネットワークの情報に変換し、並びにディスプレイに表示することを特徴とする、マルチカード対応携帯電話としている。
請求項２の考案は、請求項１記載のマルチカード対応携帯電話において、機体に一組の通話識別ランプが設けられ、この構造により、複数のＳＩＭ  ＣＡＲＤ中の特定のＳＩＭ  ＣＡＲＤの信号が表示されることを特徴とする、マルチカード対応携帯電話としている。